(57)【要約】【課題】偏光軸の方向が互いに相違する領域を有しつつも、製造が容易な偏光フィルムを提供すること。【解決手段】図３（ａ）は、偏光フィルムの原材料としての可撓性を有する膜体２０Ｒである。また、図３（ａ）に示す破線は、いずれも谷折りをする線を示す。図３（ｂ）〜図３（ｄ）は、谷折り線に従って膜体２０Ｒを折り畳む工程の一部を示している。図３（ｅ）は、折り畳まれた膜体２０Ｒを示す。この膜体２０Ｒに、図３（ｆ）に示すように、三角形状の長辺方向に１軸延伸処理を施す。これにより、膜体２０Ｒは、偏光軸の方向が互いに相違する領域が交互に生じる偏光フィルムとなる。【選択図】図３
2015138077.tif 000002
【特許請求の範囲】
【請求項１】
延伸処理によって製造される偏光フィルムにおいて、
当該偏光フィルムの原料としての可撓性を有した１の膜体の互いに相違する部分の面同士を重ね併せた状態で、該膜体に対し前記延伸処理を施すことで、前記互いに相違する部分のうちの１つの偏光軸の方向と、別の１つの偏光軸の方向とが相違するように形成されていることを特徴とする偏光フィルム。
【請求項２】
前記偏光フィルムは、偏光軸が第１方向となる領域と、偏光軸が前記第１方向とは相違する第２方向となる領域とが交互に出現するものであり、
前記第１方向となる領域と前記第２方向となる領域とが、前記互いに相違する部分に対応する請求項１記載の偏光フィルム。
【請求項３】
前記第１方向となる領域と前記第２方向となる領域とが矩形状の領域であり、
前記延伸処理は、前記矩形状の領域の対角線方向に延伸する処理である請求項１または２記載の偏光フィルム。
【請求項４】
前記第１方向と前記第２方向とが直交する請求項２または３記載の偏光フィルム。
【請求項５】
請求項１〜４のいずれか１項に記載の偏光フィルムを用いた調光装置において、
前記偏光フィルムとして、第１フィルムと、該第１フィルムの面の法線方向に位置する第２フィルムとを備え、
前記第１フィルムと前記第２フィルムとの前記法線方向に直交する方向の位置関係を変更することで透過光量を変更可能とすることを特徴とする調光装置。
【発明の詳細な説明】
【技術分野】
【０００１】
本発明は、偏光フィルム、およびこれを用いた調光装置に関する。
【背景技術】
【０００２】
たとえば特許文献１に見られるように、偏光軸の方向の異なる２種類の帯状の偏光膜を交互に且つ列状に一定間隔で配列したプレートを２枚重ね、それらを相互に変位させることで、透過光量を調整する調光装置が提案されている。
【先行技術文献】
【特許文献】
【０００３】
【特許文献１】特開平３−２４７８８９号公報
【発明の概要】
【発明が解決しようとする課題】
【０００４】
ところで、２種類の帯状の偏光膜を交互に且つ列状に一定間隔でプレートに配列する場合、偏光膜の互いの位置関係がずれやすい。これに対し、各偏光膜をつなぎ合わせる場合には、その製造工程が煩雑となる。
【０００５】
本発明は、そうした実情に鑑みてなされたものであり、その目的は、偏光軸の方向が互いに相違する領域を有しつつも、製造が容易な偏光フィルムを提供することにある。また、本発明の目的は、この偏光フィルムを用いた調光装置を提供することにある。
【課題を解決するための手段】
【０００６】
以下、上記課題を解決するための手段およびその作用効果について記載する。
技術的思想１：延伸処理によって製造される偏光フィルムにおいて、当該偏光フィルムの原料としての可撓性を有した１の膜体の互いに相違する部分の面同士を重ね併せた状態で、該膜体に対し前記延伸処理を施すことで、前記互いに相違する部分のうちの１つの偏光軸の方向と、別の１つの偏光軸の方向とが相違するように形成されていることを特徴とする偏光フィルム。
【０００７】
膜体を広げた状態で延伸処理を施すことで、その延伸処理の軸方向に振動する光を選択的に透過させる偏光フィルムを生成することができる。ただし、この場合、偏光フィルムのどの部分についても選択的に透過させる直線偏光の向きである偏光軸の方向が同一となる。これに対し、延伸処理を施すに際し、膜体のうちの互いに相違する部分の面同士を重ねる場合、延伸処理が施された膜体を広げることで、互いに相違する部分の偏光軸の方向を互いに相違させることが可能となる。したがって、偏光軸の方向が互いに相違する領域を有しつつも、製造が容易な偏光フィルムを実現することができる。
【０００８】
技術的思想２：前記偏光フィルムは、偏光軸が第１方向となる領域と、偏光軸が前記第１方向とは相違する第２方向となる領域とが交互に出現するものである技術的思想１記載の偏光フィルム。
【０００９】
膜体のうちの互いに隣接する領域同士を重ねて延伸処理を施す場合、それら互いに隣接する領域同士で偏光軸を相違させることが容易となる。このため、上記偏光フィルムは、互いに隣接する領域同士を重ねて延伸処理することで簡易に製造することができるものである。
【００１０】
技術的思想３：前記第１方向となる領域と前記第２方向となる領域とが矩形状の領域であり、前記延伸処理は、前記矩形状の領域の対角線方向に延伸する処理である技術的思想１または２記載の偏光フィルム。
【００１１】
技術的思想４：前記第１方向と前記第２方向とが直交する技術的思想２または３記載の偏光フィルム。
上記構成では、第１方向と第２方向とが直交するために、偏光フィルムの面を重ねてその相対的な位置関係を変更することで、重ねられた１つのフィルム面を透過した光が別のフィルム面を透過する光量を大きく変更することができる。
【００１２】
技術的思想５：技術的思想１〜４のいずれか１項に記載の偏光フィルムを用いた調光装置において、前記偏光フィルムとして、第１フィルムと、該第１フィルムの面の法線方向に位置する第２フィルムとを備え、前記第１フィルムと前記第２フィルムとの前記法線方向に直交する方向の位置関係を変更することで透過光量を変更可能とすることを特徴とする調光装置。
【００１３】
第１フィルムの所定領域を透過した光が第２フィルムの所定領域を透過するか否かは、第１フィルムの所定領域の偏光軸の方向と第２フィルムの所定領域の偏光軸の方向との関係によって定まる。すなわち、双方が互いに相違する場合には、双方が同一である場合と比較して、第１フィルムの所定領域を透過した光が第２フィルムの所定領域を透過する率は、低くなる。上記装置では、この点に鑑み、調光機能を持たせることができる。
【図面の簡単な説明】
【００１４】
【図１】第１の実施形態にかかるサンバイザーの構成を示す斜視図。
【図２】（ａ）〜（ｃ）は、同実施形態にかかる調光手法を示す図。
【図３】（ａ）〜（ｆ）は、同実施形態にかかる偏光フィルムの製造手法を示す図。
【図４】第２の実施形態にかかる偏光フィルムを示す平面図。
【図５】第３の実施形態にかかる偏光フィルムを示す平面図。
【図６】（ａ）〜（ｄ）は、同実施形態にかかる偏光フィルムの製造手法を示す図。
【図７】第４の実施形態にかかる偏光フィルムを示す平面図。
【図８】第５の実施形態にかかる偏光フィルムを示す平面図。
【発明を実施するための形態】
【００１５】
＜第１の実施形態＞
以下、偏光フィルムおよび調光装置の第１の実施形態について、図面を参照しつつ説明する。
【００１６】
図１に、本実施形態にかかるシステム構成を示す。図示されるサンバイザー１２は、フロントガラス１０の一部の領域を介して車両の外部からシート３０に着席しているユーザへと照射する光の量を調整する調光装置である。サンバイザー１２のうちユーザに照射される光の量を調整する面は、複数（ここでは、模式的に４個を記載）の光制御領域ａ１，ａ２，ａ３，ａ４に分割され、それらの各光制御領域ａ１〜ａ４のそれぞれに偏光フィルム２０Ｂが配置されている。
【００１７】
サンバイザー１２の偏光フィルム２０Ｂに対し、サンバイザー１２の上記面の法線方向Ｎの逆側には、さらに偏光フィルム２０Ｆが設けられている。そして、サンバイザー１２は、法線方向Ｎに重ねられた一対の偏光フィルム２０Ｆ，２０Ｂの相対的な位置関係を変更することで、ユーザに照射される光の量を調節する。次に、図２に基づき、これについて説明する。
【００１８】
図２（ａ）は、透過光量が最も多くなる場合の偏光フィルム２０Ｆ，２０Ｂの配置を示す。図では、２枚重ねられた偏光フィルム２０Ｆ，２０Ｂのうち、法線方向Ｎ側（ユーザ側）の偏光フィルム２０Ｂが紙面の表側に位置し、法線方向Ｎとは逆側（フロントガラス１０側）の偏光フィルム２０Ｆが紙面の裏側に位置することを想定している。
【００１９】
図示されるように、偏光フィルム２０Ｂ，２０Ｆは、いずれも、選択的に透過させる直線偏光の向き（偏光軸）が第１方向ｐａ１となる正方形状の領域Ａ１と、偏光軸が第２方向ｐａ２となる正方形状の領域Ａ２とが交互に形成されたフィルムである。ここで、第１方向ｐａ１と第２方向ｐａ２とは、互いに直交する関係となっている。そして、複数の領域Ａ１同士の寸法や、複数の領域Ａ２同士の寸法、さらには領域Ａ１と領域Ａ２とのそれぞれの寸法は、互いに等しくなっている。
【００２０】
図２（ａ）には、偏光フィルム２０Ｂの領域Ａ１と偏光フィルム２０Ｆの領域Ａ２とが重ねられ、偏光フィルム２０Ｂの領域Ａ２と偏光フィルム２０Ｆの領域Ａ１とが重ねられた状態を示している。この場合、フロントガラス１０側から入射した光のうち、偏光フィルム２０Ｆを透過したものは、理想的には全て偏光フィルム２０Ｂを透過する。ここで理想的とは、偏光フィルム２０Ｂの偏光軸と入射する光の直線偏光の向き（偏光方向）とが同一の場合の吸収率を「０」とする近似のこととする。
【００２１】
すなわち、フロントガラス１０側から入射した光は、偏光フィルム２０Ｆの領域Ａ１を透過する場合、第１方向ｐａ１に直線偏光した光となり、偏光フィルム２０Ｆの領域Ａ２を透過する場合、第２方向ｐａ２に直線偏光した光となる。そして、偏光フィルム２０Ｆの領域Ａ１を透過した光は、理想的には、偏光フィルム２０Ｂの領域Ａ１を「１００％」透過し、偏光フィルム２０Ｆの領域Ａ２を透過した光は、理想的には、偏光フィルム２０Ｂの領域Ａ２を「１００％」透過する。なお、偏光フィルム２０Ｆに入射する光のうち、これを透過する光は、理想的には「５０％」である。ここで、「理想的」が意味するのは、上記と同様であるため、偏光フィルム２０Ｆや偏光フィルム２０Ｂを実際に透過する光は、これよりも少なくなりうる。本実施形態では、偏光フィルム２０Ｆを透過した光の偏光方向と、これが入射する偏光フィルム２０Ｂの偏光軸とが一致するときの光の透過状態を、「全透過状態」と称する。図２（ａ）は、全透過状態を実現するための偏光フィルム２０Ｆおよび偏光フィルム２０Ｂの位置関係の設定を示している。
【００２２】
図２（ｂ）は、偏光フィルム２０Ｂの領域Ａ１の半分が、偏光フィルム２０Ｆの領域Ａ１に重ねられ、残りの半分が、偏光フィルム２０Ｆの領域Ａ２に重ねられる場合を示している。この場合、偏光フィルム２０Ｆの領域Ａ１と偏光フィルム２０Ｂの領域Ａ１とが重ねられる領域と、偏光フィルム２０Ｆの領域Ａ２と偏光フィルム２０Ｂの領域Ａ２とが重ねられる領域とについては、偏光フィルム２０Ｆを透過した光が、理想的には全て偏光フィルム２０Ｂを透過する。これに対し、偏光フィルム２０Ｆの領域Ａ１と偏光フィルム２０Ｂの領域Ａ２とが重ねられる領域と、偏光フィルム２０Ｆの領域Ａ２と偏光フィルム２０Ｂの領域Ａ１とが重ねられる領域とについては、第１方向ｐａ１と第２方向ｐａ２とが直交するため、偏光フィルム２０Ｆを透過した光が、理想的には、全て偏光フィルム２０Ｂによって遮断される。ここで、理想的とは、入射した光の偏光方向と、偏光フィルムの偏光軸とが直交する場合の吸収率が「１００％」となる状態をいう。
【００２３】
したがって、偏光フィルム２０Ｂを透過する光の量は、図２（ａ）の場合と比較して、半分程度となる。本実施形態は、この状態を「半透過状態」と称する。なお、領域Ａ１，Ａ２の面積を縮小することで、ユーザが網目状の部材を介して外部の物体を見る状態と同等の状態が実現される。
【００２４】
図２（ｃ）は、偏光フィルム２０Ｂの領域Ａ１と偏光フィルム２０Ｆの領域Ａ２とが重ねられ、偏光フィルム２０Ｂの領域Ａ２と偏光フィルム２０Ｆの領域Ａ１とが重ねられた状態を示す。この場合、第１方向ｐａ１と第２方向ｐａ２とが直交するため、偏光フィルム２０Ｆを透過した光が、理想的には、全て偏光フィルム２０Ｂによって遮断される。本実施形態では、この状態を「遮断状態」と称する。
【００２５】
このように、本実施形態にかかるサンバイザー１２は、図１に示した４つの領域のそれぞれについて、「全透過状態」、「半透過状態」、および「遮断状態」に各別に調節することができる。
【００２６】
こうした機能は、偏光軸の方向が相違する領域Ａ１，Ａ２を有する偏光フィルム２０Ｆ，２０Ｂを用いることで実現されたものである。次に、偏光フィルム２０Ｆ，２０Ｂの製造手法について図３に基づき説明する。
【００２７】
図３（ａ）は、偏光フィルム２０Ｆ，２０Ｂの原材料となる可撓性を有した膜体２０Ｒを示す。なお、本実施形態では、膜体２０Ｒとして、ヨウ素を付着させた高分子フィルムを想定している。図中、破線は、膜体２０Ｒを折り畳む際の線を示している。特に、ここでは、破線を谷折り線としている。なお、破線によって形成される正方形状の領域は、図２における領域Ａ１，Ａ２に対応し、それらと同一の寸法となっている。
【００２８】
図３（ｂ）は、図３（ａ）に示した膜体２０Ｒの右上端の直角三角形を谷折りした状態を示し、図３（ｃ）は図３（ｂ）に示した膜体２０Ｒの右上端の直角三角形部分を谷折りした状態を示し、図３（ｄ）は、図３（ｃ）に示した膜体２０Ｒの左上端の直角三角形部分を谷折りした状態を示す。こうした要領で谷折りを繰り返した場合の最終的な膜体２０Ｒの形状を図３（ｅ）に示す。ここでは、何重にも折り畳まれた直角三角形状の膜体２０Ｒが示されている。
【００２９】
図３（ｆ）は、図３（ｅ）に示した直角三角形の長辺方向（図中、矢印方向）を軸方向とする１軸延伸処理を施すことを示している。これにより、図３（ｅ）に示した直角三角形を２つ隣接配置することで得られる正方形状の領域毎に、それら正方形の対角線方向が偏光軸の方向となる図２に示した偏光フィルム２０Ｆ，２０Ｂが形成される。
【００３０】
このように、本実施形態では、膜体２０Ｒを折り畳んだ後１軸延伸処理を施すことで、偏光軸の方向が互いに相違する領域を有する偏光フィルム２０Ｆ，２０Ｂを簡易に製造することができる。なお、偏光フィルム２０Ｆ，２０Ｂは、各別の膜体２０Ｒから図３に示す態様にて製造されるものであってもよいが、単一の膜体２０Ｒに図３に示した処理を施すことで製造されるものであってもよい。
【００３１】
以上説明した本実施形態によれば、以下に記載する効果が得られるようになる。
（１）可撓性を有した１の膜体２０Ｒを折り畳んだ状態で１軸延伸処理を施すことで、互いに相違する領域Ａ１，Ａ２のそれぞれの偏光軸が相違する偏光フィルム２０Ｆ，２０Ｂを製造した（図３）。これにより、偏光軸が互いに相違する領域を有しつつも、製造が容易な偏光フィルムを実現することができる。
【００３２】
（２）偏光軸が第１方向ｐａ１となる領域Ａ１と偏光軸が第２方向ｐａ２となる領域Ａ２とを矩形状の領域とした（図２）。これにより、膜体２０Ｒを折り畳んだ後に１軸延伸処理を施すことで、偏光フィルム２０Ｆ，２０Ｂを簡易に製造することができる。
【００３３】
（３）第１方向ｐａ１と第２方向ｐａ２とを直交させた（図２）。これにより、偏光フィルム２０Ｆと偏光フィルム２０Ｂとの対向する部分を変更することで、偏光フィルム２０Ｆを透過した光が偏光フィルム２０Ｂを透過する光量を「透過状態」から「遮断状態」まで調節することができる。
【００３４】
（４）偏光フィルム２０Ｆと偏光フィルム２０Ｂとの対向する部分を変更可能とした（図２）。これにより、上記対向する部分を変更することで、偏光フィルム２０Ｆを透過した光が偏光フィルム２０Ｂを透過する光量を調節することができる。
【００３５】
（５）偏光フィルム２０Ｂ，２０Ｆをサンバイザー１２の隣接する光制御領域ａ１〜ａ４毎に各別に備え、偏光フィルム２０Ｂ，２０Ｆの互いに対向する部分を、各領域毎に独立に変更可能とした。これにより、ユーザの視界を妨げることを抑制しつつも、過度の光がユーザに照射する事態を好適に抑制することができる。
【００３６】
＜第２の実施形態＞
以下、第２の実施形態について、先の第１の実施形態との相違点を中心に図面を参照しつつ説明する。
【００３７】
図４に、本実施形態にかかる偏光フィルム２０Ｂを示す。
上記第１の実施形態では、長方形状の膜体２０Ｒを谷折りすることで、１軸延伸処理の対象となる折り畳まれた膜体２０Ｒを生成した。これに対し、本実施形態では、領域Ａ１と領域Ａ２との境界を山折り（図中、一点鎖線にて表記）し、領域Ａ１，Ａ２のそれぞれの対角線の折り目を谷折りとする。
【００３８】
これにより、膜体２０Ｒ（偏光フィルム２０Ｂの原材料であり、図示略）の折り目において、折り目の両側の部分の間に何重にも膜体２０Ｒが重ねられた部分が位置することを回避することができる。このため、折り目付近にも１軸延伸処理によって所望の偏光軸を有した偏光特性を付与することが容易となる。
【００３９】
＜第３の実施形態＞
以下、第３の実施形態について、先の第１の実施形態との相違点を中心に図面を参照しつつ説明する。
【００４０】
図５に、本実施形態にかかる偏光フィルム２０Ｂを示す。
上記第１の実施形態では、長方形状の膜体２０Ｒを谷折りすることで、三角形状に折り畳まれた膜体２０Ｒを形成し、これを１軸延伸処理の対象とした。これに対し、本実施形態では、長方形状の膜体２０Ｒを、図６に示すように、領域Ａ１、Ａ２の境界とする部分で折り畳むことで、正方形状の膜体２０Ｒを生成し、その対角線方向に１軸延伸処理を施すことで、偏光フィルム２０Ｆ，２０Ｂを生成する。
【００４１】
詳しくは、本実施形態では、領域Ａ１，Ａ２の境界において交互に谷折り（破線）と山折り（一点鎖線）とを繰り返すようにする。図６（ａ）〜図６（ｃ）に折り畳み工程の一部を示す。また、図６（ｄ）に、１軸延伸処理を施す工程を示す。
【００４２】
＜第４の実施形態＞
以下、第４の実施形態について、先の第１の実施形態との相違点を中心に図面を参照しつつ説明する。
【００４３】
図７に、本実施形態にかかる偏光フィルム２０Ｂを示す。
上記第１の実施形態では、偏光フィルム２０Ｆ，２０Ｂの短辺を１辺とする正方形状の領域を領域Ａ１，Ａ２とした。これに対し、本実施形態では、偏光フィルム２０Ｆ，２０Ｂの短辺を長辺とする長方形状の領域を、領域Ａ３，Ａ４とし、これらが互いに隣接して交互に形成されるようにする。
【００４４】
ここで、領域Ａ３の偏光軸の方向ｐａ３は、領域Ａ３の対角線の方向であり、領域Ａ４の偏光軸の方向ｐａ４は、領域Ａ４の対角線の方向である。ここで、方向ｐａ３と方向ｐａ４とは互いに相違するものの、これらは互いに直交しない。したがって、偏光フィルム２０Ｂと偏光フィルム２０Ｆ（図示略）との位置関係を図２に示した要領でずらしたとしても、「遮断状態」にはならない。しかし、位置関係を変更することで、偏光フィルム２０Ｆを透過した光が偏光フィルム２０Ｂを透過する量を調整することはできる。
【００４５】
なお、本実施形態にかかる偏光フィルム２０Ｂは、原材料としての膜体２０Ｒ（図示略）を、図７に破線にて示す位置にて谷折りするとともに、一点鎖線にて示す位置にて山折りして長方形状に折り畳んだ後、１軸延伸処理を施すことで製造することができる。
【００４６】
＜第５の実施形態＞
以下、第５の実施形態について、先の第１の実施形態との相違点を中心に図面を参照しつつ説明する。
【００４７】
図８に、本実施形態にかかる偏光フィルム２０Ｂを示す。
上記第１の実施形態では、偏光フィルム２０Ｆ，２０Ｂの短辺を１辺とする正方形状の領域を領域Ａ１，Ａ２とした。これに対し、本実施形態では、偏光フィルム２０Ｆ，２０Ｂの短辺を所定個数（ここでは、４個を例示）に等分割したものを１辺とする正方形状の領域を、領域Ａ１，Ａ２とする。
【００４８】
すなわち、偏光フィルム２０Ｂは、その長手方向のみならず短手方向においても、領域Ａ２と領域Ａ１とが交互に隣接して形成されている。これは、原材料としての膜体２０Ｒを、図８に破線にて示す位置にて谷折りするとともに、一点鎖線にて示す位置にて山折りして正方形状に折り畳んだ後、１軸延伸処理を施すことで製造することができる。
【００４９】
＜技術的思想と実施形態との対応＞
以下、上記「課題を解決するための手段」に記載された技術的思想と、実施形態との代表的な対応関係を記載する。
【００５０】
技術的思想１：偏光フィルム…２０Ｆ，２０Ｂ、膜体…２０Ｒ、互いに相違する部分…Ａ１，Ａ２，Ａ３，Ａ４、偏光軸の方向…ｐａ１，ｐａ２，ｐａ３，ｐａ４、延伸処理…図３（ｄ）、図６（ｄ）
技術的思想２：第１方向…ｐａ１，ｐａ３、第２方向…ｐａ２，ｐａ４
技術的思想３：矩形状の領域…Ａ１，Ａ２，Ａ３，Ａ４
技術的思想４：第１方向…ｐａ１、第２方向…ｐａ２
技術的思想５：第１フィルム…２０Ｆ、第２フィルム…２０Ｂ、法線方向…Ｎ、位置関係を変更可能…図２
＜その他の実施形態＞
なお、上記各実施形態は、以下のように変更して実施してもよい。
【００５１】
・「原料としての膜体について」
高分子フィルムにヨウ素を付着させた膜体に限らない。たとえば、高分子フィルムに有機色素等の２色性色素を付着させた膜体であってもよい。もっとも、予めヨウ素や２色性色素を付着させたものに限らない。たとえばポリビニルアルコール等の高分子フィルムを１軸延伸処理した後にヨウ素等を吸着配向させるものにあっては、延伸処理の対象となる膜体は、ヨウ素等を付着させていない高分子フィルムとなる。
【００５２】
・「膜体の重ね合わせ手法について」
上記第３〜第５の実施形態（図５〜図７）において、谷折り（破線）を全て山折り（一点鎖線）に変更してもよく、谷折り（破線）の一部を山折り（一点鎖線）に変更してもよい。
【００５３】
・「延伸処理について」
たとえば、図６（ｄ）に示した延伸処理に代えて、その軸方向を、正方形状に畳まれた膜体２０Ｒの対角線よりわずかにずらした方向として延伸処理を施してもよい。この手法によれば、第５の実施形態（図７）に示すように、偏光軸の方向が一定の領域Ａ３，Ａ４を長方形状とする場合であっても、領域Ａ３の偏光軸の方向ｐａ３と領域Ａ４の偏光軸の方向ｐａ４とを直交させることも可能となる。
【００５４】
・「偏光フィルムについて」
偏光フィルム２０Ｆ，２０Ｂ自体や、偏光フィルム２０Ｆ，２０Ｂにおいて偏光軸の方向が同一となる領域としては、矩形状のものに限らず、たとえば楕円形状のもの等であってもよい。
【００５５】
・「調光装置について」
２つのフィルム面同士を重ねて且つ、それらの相対的な位置関係を変更するものに限らない。たとえば３つ以上のフィルム面同士を重ねて、且つそれらのうちの少なくとも２つの相対的な位置関係を変更するものであってもよい。
【００５６】
車両のフロントガラスを介して車室内に照射される光の量を調節するサンバイザーに限らない。たとえば、車両のウィンドウガラスを介して透過する光を調節するために調光装置を用いてもよい。これは、ウィンドウガラスの面に複数の偏光フィルムの面を重ねて且つ、それら偏光フィルムの面同士の位置関係を変更可能とすることで実現することができる。
【００５７】
またたとえば、サンルーフを備えるものにあっては、その天窓から透過する光を調節するために調光装置を用いてもよい。これは、天窓の面に複数の偏光フィルムの面を重ねて且つ、それら偏光フィルムの面同士の位置関係を変更可能とすることで実現することができる。
【符号の説明】
【００５８】
１０…フロントガラス、１２…サンバイザー、２０Ｂ，２０Ｆ…偏光フィルム、２０Ｒ…膜体、３０…シート。
【図１】
2015138077.tif 000003
【図２】
2015138077.tif 000004
【図３】
2015138077.tif 000005
【図４】
2015138077.tif 000006
【図５】
2015138077.tif 000007
【図６】
2015138077.tif 000008
【図７】
2015138077.tif 000009
【図８】
2015138077.tif 000010